(57)【要約】【課題】電動機を円周方向においてほぼ均等に支持することができ、しかも羽根車を流出した気流が支持部材に衝突する際の圧力変動を小さくして騒音の発生を低減すること。【解決手段】円筒状をなすケーシング１内に、電動機２およびこの電動機２の回転軸２ａ端に連結された羽根車３を収納し、円周方向にほぼ等間隔に配設した複数個の支持部材４により電動機２がケーシング１内に支持固定されている。複数個の支持部材４は、それぞれ電動機２の回転軸２ａからケーシング１に向けて放射方向に延びる直線Ｒに対して交差するように配設され、羽根車３を流出した気流が支持部材４に衝突する際、時間を異ならせて衝突するようになっている。【選択図】図１
2009144641.tif 000002
【特許請求の範囲】
【請求項１】
円筒状をなすケーシング内に、電動機およびこの電動機の回転軸端に連結された羽根車を収納し、円周方向にほぼ等間隔に配設した複数個の支持部材により前記電動機を前記ケーシング内に固定した軸流送風機において、前記複数個の支持部材を、それぞれ前記電動機の回転軸から前記ケーシングに向けて放射方向に延びる直線に対して交差するように配設したことを特徴とする軸流送風機。
【請求項２】
前記複数個の支持部材を、それぞれ前記電動機の回転軸から前記ケーシングに向けて屈曲する形状に構成したことを特徴とする請求項１に記載の軸流送風機。
【請求項３】
前記複数個の支持部材を、それぞれ前記電動機の回転軸から前記ケーシングに向けて放射方向に延びる直線に対して傾斜する直線形状に構成したことを特徴とする請求項１に記載の軸流送風機。
【発明の詳細な説明】
【技術分野】
【０００１】
本発明は、空調設備等において送排風に利用される軸流送風機に関するものである。
【背景技術】
【０００２】
軸流送風機は、円筒状をなすケーシング内に、電動機およびこの電動機の回転軸端に連結された羽根車を収納して構成され、電動機の回転により羽根車が回転してケーシング内を通して送排風を行うようになっている。
【０００３】
電動機は、複数個の支持部材を介してケーシングに固定されている。この複数個の支持部材は、一般に円周方向に沿ってほぼ等間隔に設けられ、それぞれ一枚の平板の両端部を折り曲げ、その折り曲げ端部をケーシングおよび電動機にそれぞれボルト固定することにより、電動機の回転軸を中心として放射方向に直線状に配設される構成が多用されている。
【０００４】
ところで、このような構成を有する軸流送風機においては、特許文献１に記載されているように、羽根車から流出した気流が電動機の周囲を通過する際に複数個の支持部材に衝突して騒音を発生する。
【０００５】
この場合、複数個の支持部材が放射方向に直線状に延びていると、各支持部材の電動機側の固定端からケーシング側の固定端までの全領域が、同じく放射方向に直線状に延びている羽根車の複数枚の羽根を投影した位置に重なるように位置することになり、羽根車から流出した気流が支持部材の放射方向全領域にわたって同時に衝突して大きな圧力変動が生じることになり、これが周期的に騒音のピークを発生する原因となっていた。
【０００６】
この問題を解決するために、特許文献１において、支持部材を電動機の片側（下側）にのみ配設することにより非放射状となるように構成し、羽根車を流出した気流が時間を異ならせて支持部材に衝突させることにより騒音を低減する方法が提案されている。
【特許文献１】特開２００６−２２７４８号公報
【発明の開示】
【発明が解決しようとする課題】
【０００７】
しかしながら、上記のように電動機の支持を片側（下側）に限って行うと、ケーシングの円周方向において電動機の支持に対する剛性の強い方向と弱い方向ができて電動機の支持が不安定になるおそれがあり、また支持部材による整流効果も片側（下側）だけに限られてしまう問題がある。
【０００８】
本発明は、上述のような従来技術の問題を解決するためになされたものであり、その目的とするところは、電動機を円周方向においてほぼ均等に支持することができ、しかも羽根車を流出した気流が支持部材に衝突する際の圧力変動を小さくして騒音の発生を低減することのできる軸流送風機を提供することにある。
【課題を解決するための手段】
【０００９】
上記目的を達成するために本発明による軸流送風機は、円筒状をなすケーシング内に、電動機およびこの電動機の回転軸端に連結された羽根車を収納し、円周方向にほぼ等間隔に配設した複数個の支持部材により電動機をケーシング内に固定した軸流送風機において、複数個の支持部材を、それぞれ電動機の回転軸からケーシングに向けて放射方向に延びる直線に対して交差するように配設したことを特徴とする。
【発明の効果】
【００１０】
本発明によれば、円周方向にほぼ等間隔に配設した複数個の支持部材により電動機を支持するので、円周方向においてほぼ均等に支持することができ、また複数個の支持部材が電動機の回転軸からケーシングに向けて放射方向に延びる直線に対して交差するように配設されているので、羽根車を流出した気流は、複数個の支持部材に衝突する際、電動機側の固定端からケーシング側の固定端までの全領域において時間を異ならせて衝突することになるので、支持部材を通過する際の圧力変動が小さくなり騒音を低減することができる。
【発明を実施するための最良の形態】
【００１１】
以下、本発明による軸流送風機の実施の形態について図面を参照して説明する。図１（ａ）ないし（ｃ）は、本発明による軸流送風機の第１実施の形態を示し、（ａ）は下半分を断面して示す正面図、（ｂ）は（ａ）の左側面図、（ｃ）は（ａ）の右側面図である。
【００１２】
図１（ａ）ないし（ｃ）において、円筒状をなすケーシング１内には、電動機２およびこの電動機２の回転軸２ａ端に連結された羽根車３が収納され、電動機２の回転軸２ａの回転により羽根車３が回転してケーシング１内を通して送排風を行うようになっている。
【００１３】
電動機２とケーシング１との間には、円周方向にほぼ等間隔に配設した複数個（図示では４個）の支持部材４が設けられており、これら支持部材４により電動機２がケーシング１内に支持固定されている。これらの支持部材４は、それぞれ一枚の平板の両端部を折り曲げ、その端部をそれぞれケーシング１および電動機２にボルト固定して設けられ、またそれぞれ電動機２側の固定端の近傍に、湾曲する屈曲部分４ａが形成されており、電動機２の回転軸２ａからケーシング１に向けて放射方向に延びる直線Ｒに対して交差するように、非放射直線状に配設されている。
【００１４】
本実施の形態によれば、円周方向にほぼ等間隔に配設した複数個の支持部材４により電動機２を支持しているので、円周方向においてほぼ均等に支持することができる。しかも羽根車３の複数枚の羽根３ａが放射直線状に配設されているのに対し、複数個の支持部材４が電動機２の回転軸２ａからケーシング１に向けて放射方向に延びる直線Ｒに対して屈曲部分４ａが交差するように、非放射直線状に配設されているので、各支持部材４の電動機２側の固定端からケーシング１側の固定端までの全領域が、羽根車３の複数枚の羽根３ａを軸方向に投影した位置に重ならないように位置することになる。
【００１５】
これにより羽根車３を流出した気流は、複数個の支持部材４に衝突する際、電動機２側の固定端からケーシング１側の固定端までの全領域において、時間を異ならせて衝突することになり、支持部材４を通過する際の圧力変動を小さくすることができ、その結果として騒音を小さくすることができる。
【００１６】
図２（ａ）ないし（ｃ）は、本発明による軸流送風機の第２実施の形態を示し、（ａ）は下半分を断面して示す正面図、（ｂ）は（ａ）の左側面図、（ｃ）は（ａ）の右側面図である。
【００１７】
本実施の形態が第１実施の形態と異なる点は、複数個の支持部材１４を、それぞれ電動機２側の固定端からケーシング１側の固定端に至る全領域にわたって弓状に屈曲する形状に構成したところにある。
【００１８】
本実施の形態においても、支持部材１４が電動機２の回転軸からケーシング１に向けて放射方向に延びる直線に対して交差するように、非放射直線状に配設されるので、第１実施の形態と同様の効果が得られる。しかも羽根車３を流出した気流が支持部材１４に衝突する位置が放射方向に大きく分散するので、支持部材４を通過する際の気流の圧力変動をさらに小さくすることができる。
【００１９】
図３（ａ）ないし（ｃ）は、本発明による軸流送風機の第３実施の形態を示し、（ａ）は下半分を断面して示す正面図、（ｂ）は（ａ）の左側面図、（ｃ）は（ａ）の右側面図である。
【００２０】
本実施の形態が第１および第２実施の形態と異なる点は、複数個の支持部材２４を、それぞれ直線状に形成し、電動機２の回転軸からケーシングに向けて放射方向に延びる直線に対して交差するように傾斜させて配設したところにある。
【００２１】
本実施の形態においても、複数個の支持部材２４がそれぞれ電動機２の回転軸からケーシング１に向けて放射方向に延びる直線に対して交差するように配設されるので、第１および第２実施の形態と同様の効果が得られるほか、電動機２側の固定端からケーシング１側の固定端までの全領域において、羽根車３を流出した気流が支持部材２４に衝突する位置が放射方向に徐々に移動するとともに時間を異ならせて衝突することになるので、支持部材２４を通過する際の気流の圧力変動をさらに小さくすることができる。
【図面の簡単な説明】
【００２２】
【図１】（ａ）ないし（ｃ）は、本発明による軸流送風機の第１実施の形態を示し、（ａ）は下半分を断面して示す正面断面図、（ｂ）は（ａ）の左側面図、（ｃ）は（ａ）の右側面図である。
【図２】（ａ）ないし（ｃ）は、本発明による軸流送風機の第２実施の形態を示し、（ａ）は下半分を断面して示す正面断面図、（ｂ）は（ａ）の左側面図、（ｃ）は（ａ）の右側面図である。
【図３】（ａ）ないし（ｃ）は、本発明による軸流送風機の第３実施の形態を示し、（ａ）は下半分を断面して示す正面断面図、（ｂ）は（ａ）の左側面図、（ｃ）は（ａ）の右側面図である。
【符号の説明】
【００２３】
１…ケーシング
２…電動機
２ａ…回転軸
３…羽根車
３ａ…羽根
４，１４，２４…支持部材
４ａ…屈曲部分
【図１】
2009144641.tif 000003
【図２】
2009144641.tif 000004
【図３】
2009144641.tif 000005